(57)【要約】【課題】  撮影時における撮像装置の画像を、補助装置でリアルタイムに確認することのできる撮像システム、撮像装置、及び、補助装置を提供する。【解決手段】  撮像装置と、この撮像装置に接続された補助装置とを有する撮像システムにおいて、前記撮像装置は、被写体を撮像し、この撮像した画像に応じたアナログ信号を生成して出力する、アナログ信号生成手段と、前記アナログ信号生成手段で生成されたアナログ信号を、デジタル信号に変換して出力する、アナログデジタル変換手段と、前記アナログデジタル変換手段から出力されたデジタル信号に基づいた画像を表示する、第１画像表示手段と、を備え、前記補助装置は、前記アナログデジタル変換手段から出力されたデジタル信号を受信する、デジタル信号受信手段と、前記デジタル信号受信手段で受信されたデジタル信号に基づいた画像を表示する、第２画像表示手段であって、前記第１画像表示手段より高い解像度を有する、第２画像表示手段と、を備えることを特徴とする。【選択図】  図１
2006261830.tif 000002
【特許請求の範囲】
【請求項１】
撮像装置と、この撮像装置に接続された補助装置とを有する撮像システムであって、
前記撮像装置は、
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備え、
前記補助装置は、
前記アナログデジタル変換手段から出力されたデジタル信号を受信する、デジタル信号受信手段と、
前記デジタル信号受信手段で受信されたデジタル信号に基づいた画像を表示する、第２画像表示手段であって、前記第１画像表示手段より高い解像度を有する、第２画像表示手段と、
を備えることを特徴とする撮像システム。
【請求項２】
前記撮像装置は、前記アナログ信号生成手段の能力と前記アナログデジタル変換手段の能力とを、前記補助装置に送信する、能力送信手段をさらに備えており、
前記補助装置は、
前記撮像装置から送信された前記アナログ信号生成手段の能力と前記アナログデジタル変換手段の能力とを受信する、能力受信手段と、
前記能力受信手段で受信した前記アナログ信号生成手段の能力と前記アナログデジタル変換手段の能力とに基づいて、前記アナログデジタル変換手段が出力するデジタル信号の画素数を決定する、画素数決定手段と、
前記画素数決定手段で決定した画素数を、前記撮像装置に送信する、画素数送信手段と、
をさらに備えている、ことを特徴とする請求項１に記載の撮像システム。
【請求項３】
前記撮像装置は、
前記補助装置から送信された画素数を受信する、画素数受信手段と、
前記画素数受信手段で受信した画素数に基づいて、前記アナログ信号生成手段と前記アナログデジタル変換手段の設定を変更する、設定変更手段と、
をさらに備えることを特徴とする請求項２に記載の撮像システム。
【請求項４】
前記アナログデジタル変換手段から出力された前記デジタル信号に基づく画像のすべての画素情報を、前記第２画像表示手段は表示する、ことを特徴とする請求項１乃至請求項３のいずれかに記載の撮像システム。
【請求項５】
前記アナログデジタル変換手段から出力された前記デジタル信号に基づく画像の一部の領域におけるすべての画素情報を、前記第２画像表示装置は表示する、ことを特徴とする請求項１乃至請求項３のいずれかに記載の撮像システム。
【請求項６】
前記補助装置は、
前記撮像装置をユーザが前記補助装置から操作するための操作部と、
前記操作部でなされた前記撮像装置に対する操作要求を、前記撮像装置に送信する、操作要求送信手段と、
をさらに備えることを特徴とする請求項１乃至請求項５のいずれかに記載の撮像システム。
【請求項７】
前記撮像装置は、
前記補助装置から送信された操作要求を受信する、操作要求受信手段と、
前記操作要求受信手段で受信した操作要求に基づいて、前記撮像装置の操作処理を行う、操作処理実行部と、
をさらに備えることを特徴とする請求項６に記載の撮像システム。
【請求項８】
前記撮像装置は、
前記補助装置が接続されているか否かを検出する、検出手段と、
前記検出手段で、前記補助装置への接続が検出できなくなった場合には、前記アナログ信号生成手段と前記アナログデジタル変換手段の設定を、前記第１画像表示手段の解像度に戻す、設定復帰手段と、
をさらに備えることを特徴とする請求項１乃至請求項７のいずれかに記載の撮像システム。
【請求項９】
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備えるとともに、
前記アナログデジタル変換手段は、前記第１画像表示手段より高い解像度を有する第２画像表示手段を備える補助装置にも、前記デジタル信号を出力可能である、
ことを特徴とする撮像装置。
【請求項１０】
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備える撮像装置に接続される補助装置であって、
前記アナログデジタル変換手段から出力されたデジタル信号を受信する、デジタル信号受信手段と、
前記デジタル信号受信手段で受信されたデジタル信号に基づいた画像を表示する、第２画像表示手段であって、前記第１画像表示手段より高い解像度を有する、第２画像表示手段と、
を備えることを特徴とする補助装置。
【発明の詳細な説明】
【技術分野】
【０００１】
本発明は、撮像システム、撮像装置、及び、補助装置に関し、特に、撮影時における撮像装置の画像を、補助装置でリアルタイムに確認することのできる撮像システム、撮像装置、及び、補助装置に関する。
【背景技術】
【０００２】
デジタルカメラ等の撮像装置の小型化が進むのに伴って、撮像装置に搭載されている撮影画像確認用の表示画面の小型化も進んでいる。しかし、撮影時には、ユーザはこの表示画面を用いて、被写体にピントを合わせたり、ピントずれがないかどうかを確認したりするので、撮像装置の表示画面が小さくなると、ユーザの確認が難しくなるという問題が生じる。
【０００３】
このような問題が生じるため、ユーザは、被写体を撮影した後に、その画像データを、高精細な表示画面を有する補助装置に転送して、その撮影内容を確認しているのが現状である。しかし、このようなやり方では、撮影後の画像を確認するに過ぎないため、リアルタイム性がなく、ピントがずれていることに気づいたユーザは、結局、撮影をやり直すしかなかった。また、撮影した画像データを補助装置に一旦転送しなければならず、手間がかかり面倒であった。しかも、撮像装置と補助装置は、互いに独立した機器であるため、互いの操作が連動することはなく、撮像装置と補助装置とをそれぞれ操作しなければならなかった。
【０００４】
一方、ピントずれ等を確認するために、特開２００４−３０５７６０号公報（特許文献１）には、撮像装置が撮影する画像の一部を拡大する技術を開示しているが、このような画像の拡大を可能とするためには、撮像装置に画像変換回路を別途搭載しなければならず、装置の小型化・軽量化という要請に反することとなる。
【特許文献１】特開２００４−３０５７６０号公報
【発明の開示】
【発明が解決しようとする課題】
【０００５】
そこで本発明は、前記課題に鑑みてなされたものであり、撮影時における撮像装置の画像を、補助装置でリアルタイムに確認することのできる撮像システム、撮像装置、及び、補助装置を提供することを目的とする。
【課題を解決するための手段】
【０００６】
上記課題を解決するため、本発明に係る撮像システムによれば、
撮像装置と、この撮像装置に接続された補助装置とを有する撮像システムであって、
前記撮像装置は、
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備え、
前記補助装置は、
前記アナログデジタル変換手段から出力されたデジタル信号を受信する、デジタル信号受信手段と、
前記デジタル信号受信手段で受信されたデジタル信号に基づいた画像を表示する、第２画像表示手段であって、前記第１画像表示手段より高い解像度を有する、第２画像表示手段と、
を備えることを特徴とする。
【０００７】
この場合、前記撮像装置は、前記アナログ信号生成手段の能力と前記アナログデジタル変換手段の能力とを、前記補助装置に送信する、能力送信手段をさらに備えており、
前記補助装置は、
前記撮像装置から送信された前記アナログ信号生成手段の能力と前記アナログデジタル変換手段の能力とを受信する、能力受信手段と、
前記能力受信手段で受信した前記アナログ信号生成手段の能力と前記アナログデジタル変換手段の能力とに基づいて、前記アナログデジタル変換手段が出力するデジタル信号の画素数を決定する、画素数決定手段と、
前記画素数決定手段で決定した画素数を、前記撮像装置に送信する、画素数送信手段と、
をさらに備えているようにしてもよい。
【０００８】
この場合、前記撮像装置は、
前記補助装置から送信された画素数を受信する、画素数受信手段と、
前記画素数受信手段で受信した画素数に基づいて、前記アナログ信号生成手段と前記アナログデジタル変換手段の設定を変更する、設定変更手段と、
をさらに備えているようにしてもよい。
【０００９】
また、前記アナログデジタル変換手段から出力された前記デジタル信号に基づく画像のすべての画素情報を、前記第２画像表示手段は表示するようにしてもよい。
【００１０】
或いは、前記アナログデジタル変換手段から出力された前記デジタル信号に基づく画像の一部の領域におけるすべての画素情報を、前記第２画像表示装置は表示するようにしてもよい。
【００１１】
また、前記補助装置は、
前記撮像装置をユーザが前記補助装置から操作するための操作部と、
前記操作部でなされた前記撮像装置に対する操作要求を、前記撮像装置に送信する、操作要求送信手段と、
をさらに備えているようにしてもよい。
【００１２】
この場合、前記撮像装置は、
前記補助装置から送信された操作要求を受信する、操作要求受信手段と、
前記操作要求受信手段で受信した操作要求に基づいて、前記撮像装置の操作処理を行う、操作処理実行部と、
をさらに備えているようにしてもよい。
【００１３】
また、前記撮像装置は、
前記補助装置が接続されているか否かを検出する、検出手段と、
前記検出手段で、前記補助装置への接続が検出できなくなった場合には、前記アナログ信号生成手段と前記アナログデジタル変換手段の設定を、前記第１画像表示手段の解像度に戻す、設定復帰手段と、
をさらに備えているようにしてもよい。
【００１４】
本発明に係る撮像装置は、
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備えるとともに、
前記アナログデジタル変換手段は、前記第１画像表示手段より高い解像度を有する第２画像表示手段を備える補助装置にも、前記デジタル信号を出力可能である、
ことを特徴とする。
【００１５】
本発明に係る補助装置は、
被写体を撮像し、この撮像した画像に応じたアナログ信号を生成して出力する、アナログ信号生成手段と、
前記アナログ信号生成手段で生成されたアナログ信号を、デジタル信号に変換して出力する、アナログデジタル変換手段と、
前記アナログデジタル変換手段から出力されたデジタル信号に基づいた画像を表示する、第１画像表示手段と、
を備える撮像装置に接続される補助装置であって、
前記アナログデジタル変換手段から出力されたデジタル信号を受信する、デジタル信号受信手段と、
前記デジタル信号受信手段で受信されたデジタル信号に基づいた画像を表示する、第２画像表示手段であって、前記第１画像表示手段より高い解像度を有する、第２画像表示手段と、
を備えることを特徴とする。
【発明を実施するための最良の形態】
【００１６】
以下、図面を参照して、本発明の実施形態を説明する。なお、以下に説明する実施形態は、本発明の技術的範囲を限定するものではない。
【００１７】
図１は、本実施形態に係る撮像システムの全体構成と、この撮像システムを構成する撮像装置１０と補助装置２０の内部構成とを説明するブロック図である。図２は、本実施形態に係る撮像装置１０のマンマシンインターフェース側のレイアウトを説明する図であり、図３は、本実施形態に係る補助装置２０のマンマシンインターフェース側のレイアウトを説明する図である。本実施形態においては、例えば撮像装置１０はデジタルカメラやカメラ付き携帯電話などにより構成されており、補助装置２０はフォトビューアやパーソナルコンピュータなどから構成されている。
【００１８】
図１に示すように、撮像装置１０においては、レンズを含む光学系１００が被写体の像をイメージセンサ１０２上に結像する。イメージセンサ１０２は、受けた光を電気信号に変換し、この電気信号をアナログ信号として、アナログデジタルコンバータ１０４に出力する。
【００１９】
アナログデジタルコンバータ１０４では、入力されたアナログ信号をデジタル信号に変換して、出力する。この出力されたデジタル信号は、画像形成部１０６に入力される。画像形成部１０６では、このデジタル信号に基づいて、色変換処理や、欠落する画素を補完する処理、より適切な画像を得るためのシャープネス処理などを行い、画像データを生成する。生成された画像データは、圧縮伸張部１０８やワークメモリ１１０に入力される。圧縮伸張部１０８では、画像データの圧縮（例えばＪＰＥＧ圧縮）や伸張（例えばＪＰＥＧ伸張）を行う。
【００２０】
画像形成部１０６と圧縮伸張部１０８がこれらの処理を行う際には、ワークメモリ１１０が画像データ格納用のメモリとして用いられる。このワークメモリ１１０に展開された画像データは、ディスプレイコントローラ１１２の制御のもと、表示部１１４に表示される。図２からも分かるように、本実施形態においては、この表示部１１４は、小型の撮像装置１０に搭載されているため、小型のＬＣＤ（Liquid Crystal Display）により構成されている。
【００２１】
図１に示すように、圧縮伸張部１０８で圧縮された画像データは、メモリコントローラ１２０による制御のもと、リムーバブルメモリ１２２に格納される。また、リムーバブルメモリ１２２に格納されている圧縮された画像データは、メモリコントローラ１２０による制御のもと、圧縮伸張部１０８で伸張されて、ワークメモリ１１０に展開される。このリムーバブルメモリ１２２は、例えば、コンパクトフラッシュ（登録商標）、スマートメディア（登録商標）、メモリースティック（登録商標）などから構成されている。
【００２２】
上述した画像形成部１０６、圧縮伸張部１０８、ワークメモリ１１０、及び、ディスプレイコントローラ１１２は、ＣＰＵ（Central Processing Unit）１２０により制御されている。このＣＰＵ１２０には、フラッシュメモリ１４０も接続されている。フラッシュメモリ１４０には、データが電気的書き換え可能に、不揮発的に記憶されている。
【００２３】
また、ＣＰＵ１３０には、センサコントローラ１５０が接続されている。このセンサコントローラ１５０は、アナログデジタルコンバータ１０４の画素数の設定を変更する制御をしたり、この画素数の変更に対応して、イメージセンサ１０２が出力するアナログ信号の解像度の設定を変更する制御をしたりする制御を行う。
【００２４】
さらに、ＣＰＵ１３０には、操作部１６０が接続されている。図２に示すように、本実施形態に係る撮像装置１０においては、操作部１６０として、ズームインボタン１６２と、ズームアウトボタン１６４と、メニューボタン１６６と、シャッターボタン１６８とが設けられている。ズームインボタン１６２は、光学系１００を制御してズームインをする際に押されるボタンであり、ズームアウトボタン１６４は、光学系１００を制御してズームアウトをする際に押されるボタンである。メニューボタン１６６は、様々な機能のメニューを表示したり、消したりする際に押されるボタンである。シャッターボタン１６８は、被写体を撮影する際に押されるボタンである。
【００２５】
この撮像装置１０は、通常は、単独で動作しているが、ユーザが専用インターフェースにケーブルを接続することにより、補助装置２０と接続することが可能である。具体的には、この専用インターフェースを用いて、撮像装置１０のアナログデジタルコンバータ１０４と画像形成部１０６の間のバスと、補助装置２０のＣＰＵ（Central Processing Unit）２００との間を接続することが可能であり、また、撮像装置１０のＣＰＵ１３０と補助装置２０のＣＰＵ２００との間を接続することが可能である。
【００２６】
したがって、本実施形態においては、アナログデジタルコンバータ１０４からのデジタル信号は、ＣＰＵ２００にも入力することができる。ＣＰＵ２００に入力されたデジタル信号は、画像形成部２０２に取り込まれる。この画像形成部２０２の機能は、上述した撮像装置１０の画像形成部１０６の機能と同等であり、デジタル信号に基づいて、色変換処理や、欠落する画素を補完する処理、より適切な画像を得るためのシャープネス処理などを行い、画像データを生成する。画像形成部２０２で生成された画像データは、圧縮伸張部２０４やワークメモリ２０６に入力される。圧縮伸張部２０４の機能も、上述した撮像装置１０の圧縮伸張部１０８と同等であり、画像データの圧縮（例えばＪＰＥＧ圧縮）や伸張（例えばＪＰＥＧ伸張）を行う。
【００２７】
画像形成部２０２と圧縮伸張部２０４がこれらの処理を行う際には、ワークメモリ２０６が画像データ格納用のメモリとして用いられる。このワークメモリ２０６に展開された画像データは、ディスプレイコントローラ２０８の制御のもと、表示部２１０に表示される。図３からも分かるように、本実施形態においては、この表示部２１０は、撮像装置１０よりは大きい補助装置２０に搭載されているため、より高い解像度を有する高精細のＬＣＤ（Liquid Crystal Display）により構成されており、このため、表示部２１０の大きさも、表示部１１４よりは大きいものになっている。
【００２８】
上述した画像形成部２０２、圧縮伸張部２０４、ワークメモリ２０６、及び、ディスプレイコントローラ２０８は、ＣＰＵ（Central Processing Unit）２００により制御されている。このＣＰＵ２００には、メモリコントローラ２２０も接続されている。したがって、ＣＰＵ２００に入力された画像データは、メモリコントローラ２２０による制御のもと、リムーバブルメモリ２２２に格納される。また、リムーバブルメモリ２２２に格納されている画像データは、メモリコントローラ２２０による制御のもと、ＣＰＵ２００に取り込まれる。このリムーバブルメモリ２２２は、例えば、コンパクトフラッシュ（登録商標）、スマートメディア（登録商標）、メモリースティック（登録商標）、フレキシブルディスク、ＣＤ−ＲＯＭなどから構成されている。このリムーバブルメモリ２２２と同様に、ハードディスクドライブ２２４に対しても、ＣＰＵ２００は画像データを格納することが可能であり、また、ハードディスクドライブ２２４から画像データを読み込むことが可能である。また、本実施形態においては、このハードディスクドライブ２２４には、各種のプログラムが格納されており、ＣＰＵ２００はこのプログラムを読み出して実行することも可能である。
【００２９】
このＣＰＵ２００には、フラッシュメモリ２３０も接続されている。フラッシュメモリ２３０には、データが電気的書き換え可能に、不揮発的に記憶されている。
【００３０】
さらに、ＣＰＵ２００には、操作部２４０が接続されている。図３に示すように、本実施形態に係る補助装置２０においては、操作部２４０として、上スクロールボタン２４２と、左スクロールボタン２４４と、右スクロールボタン２４６と、下スクロールボタン２４８と、メニューボタン２５０と、決定ボタン２５２と、取り消しボタン２５４とが設けられている。
【００３１】
上スクロールボタン２４２は、この補助装置２０における各種操作において、主として、上側にカーソルを移動する際に押されるボタンであり、左スクロールボタン２４４は、この補助装置２０における各種操作において、主として、左側にカーソルを移動する際に押されるボタンであり、右スクロールボタン２４６は、この補助装置２０における各種操作において、主として、右側にカーソルを移動する際に押されるボタンであり、下スクロールボタン２４８は、この補助装置２０における各種操作において、主として、下側にカーソルを移動する際に押されるボタンである。また、本実施形態においては、上スクロールボタン２４２は、この補助装置２０が撮像装置１０に接続された場合に、光学系１００のズームインを行う際に押されるボタンであり、下スクロールボタン２４８は、光学系１００のズームアウトを行う際に押されるボタンである。
【００３２】
メニューボタン２５０は、様々な機能のメニューを表示したり、消したりする際に押されるボタンである。決定ボタン２５２は、この補助装置２０における各種操作の際に、決定を意味する操作の際に押されるボタンであり、取り消しボタン２５４は、この補助装置２０における各種操作の際に、取り消しを意味する操作の際に押されるボタンである。また、本実施形態においては、決定ボタン２５２は、この補助装置２０が撮像装置１０に接続された場合に、シャッターの役割を果たすボタンである。
【００３３】
次に、この撮像システムで実行される画像転送処理について説明する。図４及び図５は、撮像装置１０で実行される画像転送処理の内容を説明するフローチャートを示す図である。これら図４及び図５に示す画像転送処理は、撮像装置１０が補助装置２０を検出した場合に起動される処理である。すなわち、撮像装置１０に補助装置２０が接続された場合に、起動される処理である。また、本実施形態においては、この画像転送処理は、ＣＰＵ１３０に内蔵されているＲＯＭ（Read Only Memory）に格納されている画像転送プログラムを読み込んで実行することにより、実現される処理である。
【００３４】
図４に示すように、この画像転送処理においては、まず、撮像装置１０は、補助装置２０との通信が正常にできるかどうかを判断する（ステップＳ１００）。補助装置２０と正常に通信ができないと判断した場合（ステップＳ１００：ＮＯ）には、撮像装置１０は撮像装置単独として動作する（ステップＳ１１０）。そして、この画像転送処理を終了する。
【００３５】
一方、補助装置２０と正常に通信ができると判断した場合（ステップＳ１００：ＹＥＳ）には、撮像装置１０は補助装置２０の情報を取得する（ステップＳ１２０）。すなわち、撮像装置１０は、補助装置２０と互換性を確保する。
【００３６】
次に、撮像装置１０は、撮像装置１０の情報を補助装置２０に送信する（ステップＳ１３０）。続いて、撮像装置１０は、イメージセンサ１０２の能力と、アナログデジタルコンバータ１０４の能力とを、補助装置２０に送信する（ステップＳ１４０）。
【００３７】
次に、撮像装置１０は、補助装置２０から画素数を取得する（ステップＳ１５０）。続いて、撮像装置１０は、取得した画素数にあわせて、アナログデジタルコンバータ１０４が出力するデジタル信号の画素数の設定を変更し、これに対応して、イメージセンサ１０２が出力するアナログ信号の解像度の設定を変更する（ステップＳ１６０）。すなわち、小型で低い解像度の表示部１１４に対応した画像のアナログ信号、デジタル信号ではなく、高い解像度の表示部２１０に対応した画像のアナログ信号、デジタル信号になるように、設定を変更する。そして、撮像装置１０は、出力準備完了通知を補助装置２０に送信する（ステップＳ１７０）。
【００３８】
次に、図５に示すように、撮像装置１０は、操作部１６０における操作に対する処理を行う（ステップＳ２００）。例えば、操作部１６０において、ズームインやズームアウトなどの光学系１００の操作がなされた場合には、その操作に応じた処理を撮像装置１０で行う。また、撮像装置１０は、これら補助装置１０でなされた操作内容を補助装置２０に送信する。
【００３９】
次に、撮像装置１０は、補助装置２０からの操作要求に基づく処理を行う（ステップＳ２１０）。すなわち、補助装置２０から操作要求が送信されてきた場合には、これに応じた処理を撮像装置１０で行う。例えば、ズームインやズームアウトなどの操作要求を受信した場合には、これに合わせて、ズームインやズームアウトなどの操作処理を光学系１００に対して行う。また、例えば、シャッターボタンが押された撮影の操作要求を受信した場合には、被写体の撮影を行う。
【００４０】
次に、補助装置２０が検出されるかどうかを判断する（ステップＳ２２０）。補助装置２０が検出される場合には、この撮像装置１０に依然として補助装置２０が接続されていることを意味しているので、ステップＳ２００からの処理を繰り返す。このステップＳ２００からステップＳ２２０までの処理を繰り返している間、撮像装置１０のアナログデジタルコンバータ１０４から出力されたデジタル信号は、専用インターフェースを介して、補助装置２０に送信され、高い解像度の表示部２１０で表示される。
【００４１】
一方、ステップＳ２２０で、補助装置２０が検出されなかった場合（ステップＳ２２０：ＮＯ）には、イメージセンサ１０２とアナログデジタルコンバータ１０４の設定を元に戻す（ステップＳ２３０）。すなわち、アナログデジタルコンバータ１０４のデジタル信号を、表示部１１４の解像度にあわせて設定し、この解像度に合わせて、イメージセンサ１０２のアナログ信号の設定を変更する。そして、これにより、この画像転送処理を終了する。
【００４２】
図６及び図７は、補助装置２０で実行される転送画像表示処理の内容を説明するフローチャートを示す図である。これら図６及び図７に示す転送画像表示処理は、補助装置２０が撮像装置１０を検出した場合に起動される処理である。すなわち、補助装置２０に撮像装置１０が接続された場合に、起動される処理である。また、本実施形態においては、この転送画像表示装置は、ハードディスクドライブ２２４に格納されている転送画像表示プログラムを、ＣＰＵ２００が読み込んで実行することにより、実現される処理である。
【００４３】
図６に示すように、この転送画像表示処理においては、まず、補助装置２０は、撮像装置１０との通信が正常にできるかどうかを判断する（ステップＳ３００）。撮像装置１０との通信が正常にできないと判断した場合（ステップＳ３００：ＮＯ）には、補助装置２０は正常に通信できない旨のエラーを表示部２１０に表示して、ユーザに通知する（ステップＳ３１０）。そして、この画像転送処理を終了する。
【００４４】
一方、撮像装置１０との通信が正常にできると判断した場合（ステップＳ３００：ＹＥＳ）には、補助装置２０は、補助装置２０の情報を撮像装置１０に送信する（ステップＳ３２０）。この処理は、上述したステップＳ１２０に対応する処理であり、撮像装置１０はこのステップＳ３２０で送信された補助装置２０の情報に基づいて、補助装置２０との互換性を確保する。
【００４５】
次に、補助装置２０は、撮像装置１０の情報を取得する（ステップＳ１３０）。この処理は、上述したステップＳ１３０に対応する処理であり、補助装置２０は、このステップＳ１３０で送信された撮像装置の情報に基づいて、撮像装置１０と互換性を確保する。
【００４６】
次に、補助装置２０は、イメージセンサ１０２の能力と、アナログデジタルコンバータ１０４の能力とを、撮像装置１０から取得する（ステップＳ３４０）。すなわち、上述したステップＳ１４０において、撮像装置１０からイメージセンサ１０２の能力とアナログデジタルコンバータ１０４の能力とが送信されてくるので、これを受信する。
【００４７】
次に、補助装置２０は、ステップＳ３４０で取得したイメージセンサ１０２の能力とアナログデジタルコンバータ１０４の能力の範囲内になるように、且つ、表示部２１０の解像度の範囲内になるように、画素数を決定し、撮像装置１０に送信する（ステップＳ３５０）。
【００４８】
そして、補助装置２０は、撮像装置１０から出力準備完了通知を受信したかどうかを判断する（ステップＳ３６０）。これは、上述したステップＳ１７０に対応する処理であり、この出力準備完了通知を受信していない場合（ステップＳ３６０：ＮＯ）には、このステップＳ３６０の処理を繰り返して待機する。
【００４９】
一方、この出力準備完了通知を受信した場合（ステップＳ３６０：ＹＥＳ）には、図７に示すように、補助装置２０はＣＰＵ２００へのバスを開放し（ステップＳ４００）、アナログデジタルコンバータ１０４から出力されたデジタル信号が、ＣＰＵ２００に取り込まれるようにする。これにより、アナログデジタルコンバータ１０４から出力された画像のデジタル信号に基づく画像が、高い解像度の高精細な表示部２１０にリアルタイムに表示されるようになる。表示部２１０への表示態様は、補助装置２０の利便性に合わせて、任意に設定する。例えば、アナログデジタルコンバータ１０４から出力される画像の画素数と表示部２１０が表示できる画素数とが一致している場合には、撮像画像のすべての画素情報を表示部２１０に表示する。つまり、単純に、アナログデジタルコンバータ１０４から出力されたデジタル信号に基づいて得られる画像の１画素が、表示部２１０の１ドットに対応するように表示する。
【００５０】
これに対して、表示部２１０の解像度よりもイメージセンサ１０２及びアナログデジタルコンバータ１０４の解像度が高ければ、表示部２１０への表示が等倍（１画素１ドット）となるよう撮像画像の一部の領域におけるすべての画素情報を表示させピント確認したり、撮像画像全体を画素縮小して表示する。表示部２１０の解像度よりもイメージセンサ１０２及びアナログデジタルコンバータ１０４の解像度が低ければ、撮像画像全体を等倍表示したり、撮像画像を拡大表示する。
【００５１】
次に、補助装置２０は、操作部２４０における操作に対する処理を行う（ステップＳ４１０）。例えば、上述したように、操作部２４０において、上スクロールボタン２４２が押された場合には、ズームイン操作がなされたことを意味しているので、ズームインの操作要求を、撮像装置１０に送信する。また、下スクロールボタン２４８が押された場合には、ズームアウト操作がなされたことを意味しているので、ズームアウトの操作要求を、撮像装置１０に送信する。また、決定ボタン２５２が押された場合には、シャッターボタンが押されたことを意味しているので、撮影の操作要求を撮像装置１０に送信する。
【００５２】
次に、補助装置２０は、撮像装置１０から、補助装置１０でなされた操作内容を受信し、これを表示する（ステップＳ４２０）。例えば、撮像装置１０の操作部１６０で、ズームアウトの操作処理がなされた場合には、ズームアウトの操作がなされたことを表示部２１０に表示する。
【００５３】
次に、撮像装置１０が検出されるかどうかを判断する（ステップＳ４３０）。撮像装置１０が検出される場合には、この補助装置２０に依然として撮像装置１０が接続されていることを意味しているので、ステップＳ４１０からの処理を繰り返す。このステップＳ４１０からステップＳ４３０までの処理を繰り返している間、撮像装置１０のアナログデジタルコンバータ１０４から出力されたデジタル信号は、専用インターフェースを介して、補助装置２０に送信され、精細な表示部２１０でリアルタイムに表示される。また、ズームインやズームアウトなどの操作がなされた場合には、その操作に応じて光学系１００が操作され、その操作結果を反映した画像がリアルタイムに高精細な表示部２１０に表示される。
【００５４】
一方、ステップＳ４３０で、撮像装置１０が検出されなかった場合（ステップＳ４３０：ＮＯ）には、ＣＰＵ２００へのバスを閉鎖し（ステップＳ４４０）、この転送画像表示処理を終了する。
【００５５】
なお、本実施形態においては、イメージセンサ１０２で、高精細で且つリアルタイムに画像を表示できるフレームレートを実現するために、イメージセンサ１０２の水平出力を１／３０秒で全画素出力できる単位（ライン）に、画像を分割して、複数のアナログ信号として出力する。
【００５６】
これら複数のアナログ信号は、アナログデジタルコンバータ１０４において、リアルタイムにＲＧＢ８８８信号に並列に変換される。例えば、補助装置２０が２８８０×２１６０の解像度（６Ｍピクセル）を必要とした場合、３０ｆｐｓの表示としたときの動作周波数は、１秒間に１８６６２４０００ビット（１８７Ｍｂｐｓ）の情報を転送する必要があることになる。この場合、５ｎｓで振幅信号を制御する必要があるため、等長配線などで専用インターフェースにおけるデータ信号線のインピーダンスを合わせる必要がある。表示部２１０への表示は、ＲＧＢ８８８信号を直接取り込んで、表示させる。
【００５７】
以上のように、本実施形態に係る撮像システムによれば、ユーザは、高精細な画像をリアルタイムで表示部２１０で見ながら、ズームインやズームアウトをした画像を確認することができるので、ピントずれに簡単に気づくようになる。このため、ピントずれのない自分の意図した画像を容易に撮影することができる。この結果、撮影時におけるユーザの利便性を格段に向上させることができる。
【００５８】
しかも、撮像装置１０のズームインやズームアウトの操作を、撮像装置１０のみからでなく、補助装置２０からも操作することができるので、ユーザの操作性を格段に向上させることができる。
【００５９】
なお、本発明は上記実施形態に限定されず種々に変形可能である。例えば、上述した実施形態では、補助装置２０からも撮像装置１０のズームインやズームアウトなどの操作ができるようにしたが、この機能は必ずしもなくてもよい。補助装置２０から撮像装置の操作ができない場合には、ユーザは、撮像装置１０で必要な操作を行うこととなる。
【００６０】
また、上述の実施形態で説明した各処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを撮像装置１０及び／又は補助装置２０に読み込ませ、実行させることにより、上述した実施形態を実現することができる。
【００６１】
また、撮像装置１０及び／又は補助装置２０は、オペレーティングシステムや別のアプリケーションプログラム等の他のプログラムを備える場合がある。この場合、撮像装置１０及び／又は補助装置２０の備える他のプログラムを活用するために、その撮像装置１０及び／又は補助装置２０が備えるプログラムの中から、上述した実施形態と同等の処理を実現するプログラムを呼び出すような命令を含むプログラムを、記録媒体に記録するようにしてもよい。
【００６２】
さらに、このようなプログラムは、記録媒体の形ではなく、ネットワークを通じて搬送波として頒布することも可能である。ネットワーク上を搬送波の形で伝送されたプログラムは、撮像装置１０及び／又は補助装置２０に取り込まれて、このプログラムを実行することにより上述した実施形態を実現することができる。
【００６３】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ撮像装置１０及び／又は補助装置２０は、そのプログラムの復号や伸張を行った上で、実行する必要がある。
【図面の簡単な説明】
【００６４】
【図１】本発明の一実施形態に係る撮像システムの構成の一例を示す図。
【図２】本実施形態に係る撮像装置のマンマシンインターフェース側のレイアウトを示す図。
【図３】本実施形態に係る補助装置のマンマシンインターフェース側のレイアウトを示す図。
【図４】本実施形態に係る画像転送処理の内容を説明するフローチャートを示す図（その１）。
【図５】本実施形態に係る画像転送処理の内容を説明するフローチャートを示す図（その２）。
【図６】本実施形態に係る転送画像表示処理の内容を説明するフローチャートを示す図（その１）。
【図７】本実施形態に係る転送画像表示処理の内容を説明するフローチャートを示す図（その２）。
【符号の説明】
【００６５】
１０  撮像装置
２０  補助装置
１００  光学系
１０２  イメージセンサ
１０４  アナログデジタルコンバータ
１０６  画像形成部
１０８  圧縮伸張部
１１０  ワークメモリ
１１２  ディスプレイコントローラ
１１４  表示部
１２０  メモリコントローラ
１２２  リムーバブルメモリ
１３０  ＣＰＵ
１４０  フラッシュメモリ
１５０  センサコントローラ
１６０  操作部
２００  ＣＰＵ
２０２  画像形成部
２０４  圧縮伸張部
２０６  ワークメモリ
２０８  ディスプレイコントローラ
２１０  表示部
２２０  メモリコントローラ
２２２  リムーバブルメモリ
２２４  ハードディスクドライブ
２３０  フラッシュメモリ
【図１】
2006261830.tif 000003
【図２】
2006261830.tif 000004
【図３】
2006261830.tif 000005
【図４】
2006261830.tif 000006
【図５】
2006261830.tif 000007
【図６】
2006261830.tif 000008
【図７】
2006261830.tif 000009